(57)【要約】【課題】  本発明は、スライドスイッチのクリック構造に関し、スライド形スイッチの切替時のクリック感を良好とすると共に、確実な切替が行えるスライドスイッチのクリック機構を提供する。【解決手段】  スライドスイッチの切換え用の摘み８４を有するスライド部材１３０に案内用突出部１３４を設け、この案内用突出部１３４の断面形状を円弧状とし、クリックプレート１３５のクリック片１５０に形成した波状凹部１３９とレール１４１間に案内用突出部１３４を挟着する様にしてスライドさせることでクリック感のあるスライドスイッチのクリック機構を得る。【選択図】    図６
2006073477.tif 000002
【特許請求の範囲】
【請求項１】
ケース本体に形成した楕円形状の透孔をスライド可能と成された摘みと１体に形成し、切換え手段と係合する係合アームを有するスライド部材と、
前記スライド部材の略中央位置に上方に形成した案内突出部と、
前記案内突出部と摺動可能に係合する略波状凹部を有するクリックプレートと、
を具備し、
前記クリックプレートの前記波状凹部中心線上と対抗する位置に凸部を有するレールを設けたことを特徴とするスライドスイッチのクリック機構。
【請求項２】
ケース本体に形成した楕円形状の透孔をスライド可能と成された摘みと１体に形成し、切換え手段と係合する係合アームを有するスライド部材と、
前記スライド部材の略中央位置に上方に形成した案内突出部と、
前記案内突出部と摺動可能に係合する略波状凹部を有するクリックプレートと、
を具備し、
前記案内突出部を前記クリックプレートの前記波状凹部と嵌合するように略円弧状と成したことを特徴とするスライドスイッチのクリック機構。
【請求項３】
特定の軸平面に投影すると略直線上かつ少なくとも３ヶ所を往復するスライドスイッチの各ポジション間の移動にクリック感を伴わせるスライドスイッチのクリック機構において、
クリック感を発生させるスライドポジション数と同数の略波状凹部を持つクリックプレートと、
前記クリックプレート上を動き、該クリックプレートの前記略波状凹部に入り込んで停止することによりスライドポジションを保つ案内突出部と、
前記案内突出部の前記クリックプレートとの接触面の反対面で前記クリックプレートの略波状凹部中心線上に凸部を設けたレールを配したことを特徴とするスライドスイッチのクリック機構。
【請求項４】
前記案内突出部の前記レールに対する面の形状が略円弧状であることを特徴とする請求項１乃至請求項３記載のいずれか１項記載のスライドスイッチのクリック機構。
【請求項５】
ケース本体に形成した楕円形状の透孔をスライド可能と成された摘みと１体に形成し、切換え手段と係合する係合アームを有するスライド部材と、
前記スライド部材の略中央位置に上方に形成した案内突出部と、
前記案内突出部と摺動可能に係合する略波状凹部を有するクリックプレートと、
を具備し、
前記クリックプレートの前記波状凹部中心線上と対抗する位置に凸部を有するレールを設けたことを特徴とする撮像装置用のスライドスイッチのクリック機構。
【請求項６】
横長のケース本体に設けられたメカデッキ内に記録／再生媒体を交換可能に配設し、該ケース本体の１端にレンズ系を有する光学手段を配し、該光学手段の光軸と垂直に直交する面上に該光学系と平行するように取手を備えた撮像装置用のスライドスイッチのクリック機構において、
前記ケース本体に形成した楕円形状の透孔をスライド可能と成された摘みと１体に形成し、切換え手段と係合する係合アームを有するスライド部材と、
前記スライド部材の略中央位置に上方に形成した案内突出部と、
前記案内突出部と摺動可能に係合する略波状凹部を有するクリックプレートと、
を具備し、
前記案内突出部を前記クリックプレートの前記波状凹部と嵌合するように略円弧状と成したことを特徴とする撮像装置用のスライドスイッチのクリック機構。
【請求項７】
特定の軸平面に投影すると略直線上かつ少なくとも３ヶ所を往復するスライドスイッチの各ポジション間の移動にクリック感を伴わせる撮像装置用のスライドスイッチのクリック機構において、
クリック感を発生させるスライドポジション数と同数の略波状凹部を持つクリックプレートと、
前記クリックプレート上を動き、該クリックプレートの前記略波状凹部に入り込んで停止することによりスライドポジションを保つ案内突出部と、
前記案内突出部の前記クリックプレートとの接触面の反対面で前記クリックプレートの略波形状の凹部中心線上に凸部を設けたレールを配したことを特徴とする像装置用のスライドスイッチのクリック機構。
【請求項８】
前記スライドスイッチのクリック機構を前記ケース本体の円弧状部に配設してなることを特徴とする請求項５乃至請求項７記載の撮像装置用のスライドスイッチのクリック機構。
【発明の詳細な説明】
【技術分野】
【０００１】
本発明は、横長の撮像装置に用いて好適な撮像装置用のスライドスイッチのクリック機構及び撮像装置用のスライドスイッチのクリック機構に係わり、特に、スライド時のクリック感を向上させ所定位置でのクリック感を高めたスライドスイッチのクリック機構及び撮像装置用のスライドスイッチのクリック機構に関するものである。
【背景技術】
【０００２】
従来、この種のスライドスイッチのクリック機構としては種々ものが提案されている。例えばスライド部材の略中央位置に上方に形成した案内突出部が摺動可能に係合する略波状凹部を有するクリックプレートに、案内突出部を案内するレールの無いものがあり、これであると案内突出部がクリックプレートの略波状凸部を乗り越えるときに、案内突出部がクリックプレートから離れていく力が加わり良好なクリック感を得られなかった。
【０００３】
又、クリックプレートに案内突出部を案内するレールがあるものもあり、従来は案内突出部を案内するレールが直線形状をしている為、良好なクリック感を得る為にはクリックプレートと案内突出部との形状でスライド摘みの位置を決める必要が有り、外装筐体とスライド摘みの位置合わせの精度が保てず不自然なクリアランスを持つことがあった。また案内突出部がクリックプレートから離れる力を抑える為に常にクリックプレートにテンションがかかるようにレールを配する必要があり、特に合成樹脂製のクリックプレートであると高温環境下でのクリープによるクリックプレートの変形などの問題があった。
【０００４】
更に、特許文献１に開示されている様なスライド方向両端に弾性アームを延在させ、クリック作用部にテンションを常にかけながらもクリックプレートのクリープを避ける工夫をしているものもある。この構成はスライド形スイッチのスライド切り換え構造に関し、スライド形スイッチの切り換え操作感を良好とするとともに、確実な切り換えが行えるスライド切り換え構造の提供をするもので、装置筐体１００を貫通するとともにこの装置筐体１００にガイドされて所定範囲スライドするスライド摘み１０１と、装置筐体１００内部に固定されスライド摘み１０１の内部側のアーム１０２と係合するスライド形スイッチ１０３とからなり、スライド摘み１０１を装置筐体１００の外部より所定範囲内でスライドさせてスライド形スイッチ１０３を切り換える切り換え構造において、スライド摘み１０１にスライド方向に延在され装置筐体１００に弾接する弾性アーム１０４を設けたことを特徴とするものである。
【０００５】
図９は上記特許文献１に記載された構成を示すものであり、図９は、要部を示す斜視図であり、図において、装置筐体１００は電話機等の装置筐体であり、装置筐体１００の第１の半体である下部筐体１０５と、装置筐体１００の第２の半体である破線で示す上部筐体１０６とからなる。
【０００６】
下部筐体１０５の壁１０７の内部にはスライド摘み１０１の１部分を受け入れる凹穴１０８と、壁１０７に並行する第２の壁１０９とが形成されている。凹穴１０８は壁１０７と第２の壁１０９とを連結する形の仕切り壁１１０とで構成され、第２の壁１０９には２本の凸条１１１が形成されている。
【０００７】
下部筐体１０５の内部に取り付けられたプリント基板１１２上に実装されたスライド形スイッチ１０３には、その上に突設されたレバー１１３により内部のクリック機構とともにスイッチ機能が３段階にスライド移動できるように構成されている。
【０００８】
スライド摘み１０１は、上下筐体１０６，１０５外部に露出する操作部１１４と、内部側に延びるアーム１０２と、その先端部に形成されレバー１１３と係合するレバー係合凹所１１５と、アーム１０２の途中から直交方向に延びる弾性アーム１０４と、この弾性アーム１０４の先端に下方に向けて突設された凸部１１６と、アーム１０２の下方に延びる舌片１１７と、操作部１１４と舌片１１７とで構成される溝１１８とアーム１０２の上面に形成された畝状部分１１９とからなる。なお、符号１２０はアーム１０２にこれから延びる弾性アーム１０４の部分に形成された切り欠きである。
【０００９】
上記上部筐体１０６及び下部筐体１０５は成形性と外観の良好な合成樹脂、たとえばＡＢＳなどで一体に成形され、スライド摘み１０１も弾性を有する合成樹脂で一体に成形される。上記構成で、下部筐体１０５の凹穴１０８にスライド摘み１０１の舌片１１７を挿入し、続けて溝１１８に壁１０７を挿入して、スライド摘み１０１を壁１０７にまたがらせるとともに、レバー係合凹所１１５をスライド形スイッチ１０３のレバー１１３と係合させる。ついで上部筐体１０６を下部筐体１０５に被せて図示しないねじなどで結合固定する。
【００１０】
以上の構成によれば、舌片１１７が凹穴１０８の内部で壁１０７の内面と第２の壁１０９の凸条１１１との間に嵌まり合い、がたつくことがない。そうして、スライド摘み１０１は壁１０７と並行な方向に移動可能である。又、舌片１１７の移動範囲は、仕切り壁１１０，１１０によって両端部において当接しそれ以上は移動しないように規制される。
【００１１】
弾性アーム１０４の先端の凸部１１６は第２の壁１０９の上面１２１に当接され、アーム１０２の上面の畝状部分１１９が上部筐体１０５の部分の下面に当接されている。この畝状部分１１９と弾性アーム１０４の下面１２２との当接状態はアーム１０２を僅かに押し下げており、弾性アーム１０４を凸部１１６，１１６間で湾曲させるようにしている。したがって、スライド摘み１０１はアーム１０２の長手方向には舌片１１７によって動きを規制され、上下方向には凸部１１６と畝状部分１１９によって動きを規制されて、がたつきがない。
【００１２】
このように、スライド摘み１０１は、弾性アーム１１６の湾曲変形による復元力で、上下方向に弾接状態で軽く圧接されているから、がたつきなく移動容易である。操作部１１４を押圧する力は、舌片１１７を凸条１１１に圧接することから、この部分での接触抵抗は面接触でないので小さく、軽い操作力で移動することができる。
【００１３】
スライド形スイッチ１０３のクリックは、スライド摘み１０１のガタ付きないことにより、容易に感じることができ、凸部１１６を通じて上下筐体１０５，１０６に伝達、共鳴し、これによっても感知することができる。又、各部の接触抵抗が少ないことは、スライド形スイッチ１０３の切り換え位置にスライド形スイッチのクリック機構自体で正確に設定させることができる旨の記載がある。
【００１４】
上述のスライドスイッチによると、スライド時にバランスをとるためにスライドスイッチの両端にクリック作用部弾性アーム１０４，１０４を延在させなければならず、スライド方向のデッドスペースが大きくなり、比較的スライド量が多いものであると、このデッドスペースにより他の部品配置に制限が出るだけでなく、クリック部が複数あるためダブルクリック等の発生する課題を有する。
【特許文献１】特開平５−２７４９６１号公報
【発明の開示】
【発明が解決しようとする課題】
【００１５】
本発明は上述の課題を解決するためになされたもので、本発明が解決しようとするか課題は、ＶＴＲやディスク装置に取手と光学系のレンズを有する撮像装置において、レンズに付加する光学フイルタを電気的にスライドスイッチを介して切換える時に用いて好適なスライドスイッチのクリック機構及び撮像装置用のスライドスイッチのクリック機構を提供することを目的とする。
【課題を解決するための手段】
【００１６】
本発明は、業務用或いはプロアマチュア用のニュース取材等に使用される高画質用の撮像装置に用いるスライドスイッチの切換え機構に係わり、特に合成樹脂製のクリックプレートの波状凹部のクリープによる変形を防止し、案内突出部を案内用のレールの凸形状により強制的にクリックプレートの波状凹部に入れ込むことで、クリック感の向上及び操作の確実性の得られるスライドスイッチのクリック機構及び撮像装置用のスライドスイッチのクリック機構を得る様に成したものである。
【００１７】
第１の本発明は、ケース本体に形成した楕円形状の透孔をスライド可能と成された摘みと１体に形成し、切換え手段と係合する係合アームを有するスライド部材と、スライド部材の略中央位置に上方に形成した案内突出部と、案内突出部と摺動可能に係合する略波状凹部を有するクリックプレートと、を具備し、クリックプレートの波状凹部中心線上と対抗する位置に凸部を有するレールを設けたことを特徴とするスライドスイッチのクリック機構としたものである。
【００１８】
第２の本発明は、ケース本体に形成した楕円形状の透孔をスライド可能と成された摘みと１体に形成し、切換え手段と係合する係合アームを有するスライド部材と、スライド部材の略中央位置に上方に形成した案内突出部と、案内突出部と摺動可能に係合する略波状凹部を有するクリックプレートと、を具備し、案内突出部をクリックプレートの波状凹部と嵌合するように略円弧状と成したことを特徴とするスライドスイッチのクリック機構としたものである。
【００１９】
第３の本発明は、特定の軸平面に投影すると略直線上かつ少なくとも３ヶ所を往復するスライドスイッチの各ポジション間の移動にクリック感を伴わせるスライドスイッチのクリック機構において、クリック感を発生させるスライドポジション数と同数の略波状凹部を持つクリックプレートと、クリックプレート上を動き、クリックプレートの略波状凹部に入り込んで停止することによりスライドポジションを保つ案内突出部と、案内突出部のクリックプレートとの接触面の反対面でクリックプレートの略波状凹部の中心線上に凸部を設けたレールを配したことを特徴とするスライドスイッチのクリック機構としたものである。
【００２０】
第４の本発明は、ケース本体に形成した楕円形状の透孔をスライド可能と成された摘みと１体に形成し、切換え手段と係合する係合アームを有するスライド部材と、スライド部材の略中央位置に上方に形成した案内突出部と、案内突出部と摺動可能に係合する略波状凹部を有するクリックプレートと、を具備し、クリックプレートの波状凹部中心線上と対抗する位置に凸部を有するレールを設けたことを特徴とする撮像装置用のスライドスイッチのクリック機構としたものである。
【００２１】
第５の本発明は、横長のケース本体に設けられたメカデッキ内に記録／再生媒体を交換可能に配設し、該ケース本体の１端にレンズ系を有する光学手段を配し、該光学手段の光軸と垂直に直交する面上に該光学系と平行するように取手を備えた撮像装置用のスライドスイッチのクリック機構において、ケース本体に形成した楕円形状の透孔をスライド可能と成された摘みと１体に形成し、切換え手段と係合する係合アームを有するスライド部材と、スライド部材の略中央位置に上方に形成した案内突出部と案内突出部と摺動可能に係合する略波状凹部を有するクリックプレートとを具備し、案内突出部をクリックプレートの波状凹部と嵌合するように略円弧状と成したことを特徴とする撮像装置用のスライドスイッチのクリック機構としたものである。
【００２２】
第６の本発明は、特定の軸平面に投影すると略直線上かつ少なくとも３ヶ所を往復するスライドスイッチの各ポジション間の移動にクリック感を伴わせる撮像装置用のスライドスイッチのクリック機構において、クリック感を発生させるスライドポジション数と同数の略波状凹部を持つクリックプレートと、クリックプレート上を動き、クリックプレートの略波状凹部に入り込んで停止することによりスライドポジションを保つ案内突出部と、案内突出部の前記クリックプレートとの接触面の反対面で前記クリックプレートの略波状凹部の中心線上に凸部を設けたレールを配したことを特徴とする撮像装置用のスライドスイッチのクリック機構としたものである。
【発明の効果】
【００２３】
第１及び第４の本発明によれば、案内用のレールの凸形状により案内突出部を強制的にクリックプレートの波状凹部に入れ込むことが出来るので、次のスライドポジションまで行き過ぎずに確実に隣のスライドポジションで停止させることが出来るのでクリック感の向上及び操作の確実性が得られるスライドスイッチのクリック機構及び撮像装置用のスライドスイッチのクリック機構を提供可能となる。
【００２４】
第２及び第５本発明によれば、案内突出部をクリックプレートの波状凹部と嵌合するように略円弧状と成したので、案内用のレール上のなだらかな凸形状に当たる際に案内用の突出部を矯正する力を連続的に変化させることが出来るので不自然なひっかかり感がなく、クリックプレートに常に負荷をかける必要が無いので、クリープによる変形の可能性を極力除去できるスライドスイッチのクリック機構及びスライドスイッチのクリック機構が得られる。
【００２５】
第３及び第６の本発明によれば、クリック感が更に向上し操作の確実性が増すと共にクリープによる変形の可能性を極力除去できるスライドスイッチのクリック機構及びスライドスイッチのクリック機構が得られる。
【００２６】
本発明のスライドスイッチのクリック機構及び撮像装置用のスライドスイッチのクリック機構構成によれば、スライド時に次のスライドポジションまで行き過ぎずに確実に隣のスライドポジションで停止させることが出来る。又、クリック感の向上及び操作の確実性が得られるクリックプレートに常に負荷をかける必要が無いので、クリープによる変形の可能性を極力除去できる。更に、クリック感を向上させるための機構を特許文献１の様にスライド方向に延在させる必要が無い為、不必要なデッドスペースを生ぜず、内部構造物の配置及びデザイン上の自由度が高まる。更に、又、スライド摘みの位置をスライド摘み押えとの位置精度よりも外筐体との位置精度を優先して設計できる為、デザイン上自由度が高まるなどの効果を生ずる。
【発明を実施するための最良の形態】
【００２７】
本発明のスライドスイッチのクリック機構及び撮像装置用のスライドスイッチのクリック機構によれば、少なくとも３個以上の波状凹部が形成されたクリックプレートに案内用の円弧状突出部を対接させ、更に案内用のレールを設けて、このレールの所定位置に凸部を設けることでスライド摘みに所定のクリック感を与え、途中の切換えポイントで確実に案内用の突出部を介しスライド摘みにクリック感を伝えることが可能なスライドスイッチのクリック機構及び撮像装置用のスライドスイッチのクリック機構を得ることを目的とするものである。
【実施例１】
【００２８】
以下、本発明のスライドスイッチのクリック機構及び撮像装置用のスライドスイッチのクリック機構を搭載した撮像装置としてのビデオカメラを図１乃至図４の実施の形態例で説明する。図１は本発明に用いる撮像装置としての１形態例を示すカセット挿入口の開閉蓋を開いた状態を示すビデオカメラの斜視図、図２は図１のビデオカメラのカセット挿入口の開閉蓋を閉じた状態を示すビデオカメラの斜視図、図３は図１及び図２に示すビデオカメラとは反対側から視たビデオカメラの斜視図、図４は図１及び図２に示すビデオカメラの側面図である。本発明に用いる撮像装置、即ち、ビデオカメラは、業務用或いはプロアマチュア用のニュース取材等に使用される高画質用に有用なもので、特に、ケース本体の上部中心位置に取手を有するビデオカメラの取手を持った状態で撮像を行なっても左右上下方向にアンバランス状態にならないで高画質の画像または映像を撮像可能な大型の撮像装置に於いて、光学レンズに付随するフイルタの切換えに用いるスライドスイッチの所定位置で確実に停止可能でクリック感が与えられるスライドスイッチのクリック機構及び撮像装置用のスライドスイッチのクリック機構を提供しようとするものである。
【００２９】
図１〜図４に示すビデオカメラ１０は撮像装置の一具体例を示すもので、情報記録媒体としてテープ状記録媒体を用いたデジタルビデオカセット（以下「ＤＶカセット」という。）を使用し、光学的な画像をＣＣＤ（電荷結合素子）で電気的な信号に変換してＤＶカセットに記録又は／及び再生（以下記録／再生と記す）し、液晶ディスプレイ等の表示装置に表示できるようにしたものである。然しながら、本発明に用いる撮像装置としては、ビデオカメラに限定されるものではなく、電子スチルカメラその他の撮像装置に適用可能である。更に、情報記録媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭその他の記録可能な光ディスク、光磁気ディスク、磁気ディスク等のようなディスク状記録媒体、更には、半導体記録媒体等のようなその他の記録媒体を適用することもできる。
【００３０】
このビデオカメラ１０は、中空の筐体からなるケース本体１１と、このケース本体１１の前面に突出するように取り付けられたレンズ装置１２と、このレンズ装置１２から入力される光に基づいて被写体の映像信号を形成する撮像手段と、この撮像手段で形成された映像信号又は予め情報記録媒体（撮像手段の記憶装置或いはＤＶカセット）に記録されている情報に基づいて映像を表示する表示装置１３等から構成されている。ここで、本発明における映像と画像について定義する。本発明では、表示装置１３の表示面に表された１コマ毎の静止像を「画像」といい、その画像の任意数の集合の動画像を「映像」というものとする。従って、本発明の撮像装置は画像および映像を撮像可能な構成と成されている。
【００３１】
図１乃至図４において、撮像手段としてのビデオカメラ１０は、ケース本体１１の内部に収納されているＤＶカセット５１が着脱自在に装着されるカセットホルダ５０と、このカセットホルダ５０に装着されたＤＶカセット５１のテープ状記録媒体を走行させて情報信号の記録（書き込み）及び／又は再生（読み出し）（記録／再生）を行う記録／再生装置（以下メカデッキと記す）５２と、このメカデッキ５２の駆動制御等を行う制御装置から構成されている。メカデッキ５２はカメラレンズ及びＣＣＤを含むレンズ装置１２の光軸Ｌ（図４参照）上の後方に配置されていて、このレンズ装置１２のＣＣＤで電気的な信号に変換された情報がＤＶカセットに記録／再生される。
【００３２】
カセットホルダ５０のカセット挿入口５３はケース本体１１に設けた開口部５４から外部に突出可能とされていて、その開口部５４は、ケース本体１１に回動自在に取り付けられた開閉蓋１４によって開閉自在とされている。符号１５は、開閉蓋１４のロックを解除して開閉蓋１４を開く蓋開放ボタンである。この蓋開放ボタン１５をスライド操作することにより、開閉蓋１４の下部を回動自在に支持する軸を中心に回動されて、開閉蓋１４の上部がケース本体１１の側方（図１で手前側）に図１の様に開放される。
【００３３】
ケース本体１１の開閉蓋１４の下側には図２及び図４に示されている様に左側からアイリスボタン５５、ゲインボタン５６、シャッタスピードボタン５７、ホワイトバランスボタン５８、オートロックスィツチ５９が配設されている。更に、ケース本体１１の開閉蓋１５とレンズ装置１２間には後述する取手２０の真下に設けられたショートトランジション操作部６０とこの操作部６０の下に配されたフォーマットランプ６１と、フォーマットランプ６１の下に配された３個のＲＥＣレビューボタン６２、逆光補正ボタン６３、スポットライトボタン６４と、スポットライトボタン６４の下に設けられた３個のユーザ設定ボタン６５と、この３個のユーザ設定ボタン６５の隣に配されたフォーカスボタン６６とプッシュ自動ボタン６７とワンプッシュ方式のホワイトバランスボタン６８と、このフォーカスボタン６６の隣に配されたズームスイッチ６９等の手動操作可能な操作ボタン群及びランプが配設されている。勿論オート操作も可能なようにオートボタン群も設けられている。
【００３４】
また、ケース本体１１の背面の開閉蓋１４と反対側には、凹陥部からなるバッテリー収納部１６（図３参照）が形成されている。このバッテリー収納部１６には、電源としてのバッテリー１７が着脱可能に装着されている。そして、ケース本体１１の背面側には、図２及び図３に示す様に撮像手段を操作するための多数の操作ボタン（例えば、ピクチャープロファイルボタン、メニュースボタン、選択／決定ダイアル等）１８が設けられている。
【００３５】
ケース本体１１の上部には、レンズ装置１２の光軸方向である前後方向に延在されたマグネシューム・アルミニューム合金等で構成した取手２０が一体に設けられている。取手２０は、ケース本体１１の前側上部に立設された前脚部２０ａと、ケース本体１１の後側上部に立設された後脚部２０ｂと、これら前後脚部２０ａ，２０ｂの上端間を連結する把持部２０ｃから構成されている。取手２０の把持部２０ｃは、レンズ装置１２の光軸Ｌ（図４参照）から上方へ高さＨだけ離れた位置において光軸Ｌに略平行に延在されている。そして、取手２０の前脚部２０ａの下部と後脚部２０ｂは前側に傾斜するよう形成されていて、後脚部２０ｂの上部に電子ビューファインダ２１が取り付けられている。
【００３６】
電子ビューファインダ２１は、光軸Ｌ方向の後方に突出するように設けられていて、先端部にはアイカップ２２が取り付けられている。この電子ビューファインダ２１は、光軸方向前側において取手２０に回動自在に支持されており、アイカップ２２側が図３に示す様に略８０度上方へ回動可能に構成されている。
【００３７】
取手２０の前端部には、把持部２０ｃの先端に連続する台座部２４（図２参照）と、この台座部２４の先端に連続して光軸Ｌ方向の前方に突出する突出部２５が設けられている。突出部２５は、前方及び左右側方に開口された金属性のマグネシューム・アルミニューム合金からなる中空状の部分からなり、その内部にはマイクロホン２６が収納され、上部には金属製のアクセサリシュー４１が形成されている。また、台座部２４は、光軸Ｌ方向と交差する方向の両側に張り出すように比較的大きく形成されていて、上面に開口する凹陥部が設けられている。この台座部２４には、多数の操作ボタンからなる操作ボタン群２７（図４２参照）を有する蓋体が一体的に嵌合固定されている。
【００３８】
図４の側面図に示すように、台座部２４に装着された蓋体の上面２４ａは、光軸Ｌ方向の前側を高くして後方へ傾斜するように形成されている。即ち、取手２０の把持部２０ｃの中心線ＴＬが光軸方向Ｌに対して略平行となるように設定されていて、その中心線ＴＬに対して蓋体の上面２４ａが、若干後向きの線ＤＬとなるように傾斜角Φが設定されている。これにより、ビデオカメラ１０を体の前に捧げ持つ撮影者の目線が、蓋体の上面２４ａに対して交差する所定の角度となるようにしている。この蓋体に設けられる操作ボタン群２７の具体的内容としては、例えば、再生ボタン、停止ボタン、早送りボタン、巻戻しボタン、一時停止ボタン、音量調整スイッチ、バックライトスイッチ等をあげることができる。
【００３９】
この台座部２４の一方の側部には、回動支持部３０を介して表示装置としての液晶ディスプレイ１３が回動動作及び反転動作可能に取り付けられている。液晶ディスプレイ１３は、映像が表示される表示面１３ａ（図２参照）と、この表示面１３ａを露出させる開口部が設けられたケース部１３ｂを備えており、ケース部１３ｂが回動支持部３０と連結されている。回動支持部３０は、台座部２４に対して液晶ディスプレイ１３を光軸Ｌの方向と直交する方向である左右方向Ｓ（図１参照）に回動可能とした第１の回動部と、液晶ディスプレイ１３を光軸Ｌの方向である前後方向Ｔ（図１、図２参照）に回動可能とした第２の回動部から構成されている。
【００４０】
第１の回動部は、台座部２４の一側部において所定間隔をあけて設けられた一対の軸受部３１，３１と、両軸受部３１間に介在される軸受片３２と、これら一対の軸受部３１，３１及び軸受片３２を貫通する第１の回動軸３３から構成されている。第１の回動軸３３の軸心線方向と直交する方向に液晶ディスプレイ１３が略１８０度の角度範囲で左右方向Ｓに回動可能とされている。その結果、液晶ディスプレイ１３は、図１に示すように表示面１３ａと反対側のケース面が表側に現されるディスプレイ閉じ状態と、液晶ディスプレイ１３を左右方向へ１８０度回動させて表示面１３ａを表側に現したディスプレイ開き状態を取ることができる。
【００４１】
第２の回動部は、軸受片３２と、この軸受片３２に立設された図示しない第２の回動軸と、この第２の回動軸とケース部１３ｂとの間に摩擦力を生じさせて液晶ディスプレイ１３を任意の角度で保持できるようにした図示しない回動摩擦機構から構成されている。第２の回動軸は第１の回動軸３３の軸心線方向と直交する方向に延在されていて、図２に示すように、液晶ディスプレイ１３が略２７０度の角度範囲で前後方向Ｔに回動可能とされている。その結果、液晶ディスプレイ１３は、表示面１３ａを上側に現した状態から後方へ９０度回動させて表示面１３ａを背面に向けた状態（通常の撮影状態）を経て、更に後方へ９０度回動させることによりケース面を上側に現した状態（表示面１３ａは下向き）と、その状態から逆方向へ２７０度回動させて表示面１３ａを前側（被写体側）に向けた状態（自己を撮影する状態）を取ることができる。
【００４２】
又、液晶ディスプレイ１３は、その表示面１３ａを下に向けてケース部１２ｂの面を上側に現した状態から左右方向に１８０度回動させることにより、台座部２４の上に液晶ディスプレイ１３を重ね合わせて表示面１３ａを上側に現した状態を取ることができる。この表示面１３ａが表側である上面に現された状態では、その表示面１３ａは、台座部２４の上面２４ａと同様に傾斜角Φによって取手２０の中心線ＴＬに対して若干後向きに傾斜されている。なお、液晶ディスプレイ１３の表示面１３ａが被写体に向く状態（自己を撮影する状態）のときには、切替えスイッチの作動を介して画像が自動的に反転するように構成する。
【００４３】
このように台座部２４によって姿勢変更可能に支持された液晶ディスプレイ１３の近傍であって、取手２０の把持部２０ｃの前端部２０ｄには、ビデオカメラ１０を操作するための操作ボタンの一具体例を示す録画ボタン３５と、レンズ装置１２を操作するための操作ボタンの一具体例を示すズームボタン３６が設けられている。この前端部２０ｄ上面は、台座部２４の上面２４ａと同様に傾斜角Φによって若干後向きに傾斜され、把手２０の中心線ＴＬと傾斜角Φで交差するように設定されているが前端部２０ｄ上面は、取手２０の中心線ＴＬと平行であってもよい。
【００４４】
録画ボタン３５とズームボタン３６は横並びに配置されていて取手２０を手で持った状態において、持ち方を変えることなく親指でともに操作できる位置に設定されている。これら録画ボタン３５及びズームボタン３６は、操作性を向上するために取手２０に設けた第２の録画ボタン及び第２のズームボタンである。そのため、図３に示す様にケース本体１１の開閉蓋１４と反対側のケース本体１１の側面上部には、第２の録画ボタン３５及び第２のズームボタン３６とは別個独立に第１の録画ボタン３７と第１のズームボタン３８が設けられている。
【００４５】
図３に示す符号４０は、ビデオカメラ１０の取り落とし等を防止するためのハンドベルトである。また、符号４１は、フラッシュ装置等が着脱自在に装着されるアクセサリシューである。本例に用いられるアクセサリシュー４１はマイクロホン２６を内蔵する突出部２５の上部に三脚用の雄型のアクセサリシュー４１が取り付けられている。アクセサリシュー４１は取り付けたアクセサリが落ちない様に外れにくい構造をとつている。アクセサリを取り付けるときは、図３に示す様に雌型のシューアダプタ７２を雄型のアクセサリシュー４１に押し付けながら嵌め合わせ、固定ネジ７３で締め付ける様に固定する様に成されている。図３はビデオカメラ１０を図１、２、４とは反対側から視た外観斜視図を示すものでレンズ装置１２のレンズ部にはレンズキャップ付フード７１をつけた状態を示す。
【００４６】
このような構成を有するビデオカメラ１０は、例えば、次のようにして良好な撮像作業等を実行することができる。まず、図１の状態では、液晶ディスプレイ１３が取手２０の台座部２４に格納されていて、その表示面１３ａが操作ボタン群２７と重なり合うよう内向きに対向されているため、表示面１３ａをしっかりと保護することができる。ビデオカメラ１０の図１の状態から、回動支持部３０の第１の回動部を中心に液晶ディスプレイ１３を左右方向Ｓへ略１８０度回動させることにより、液晶ディスプレイ１３を側方に突出させて表示面１３ａを上方へ向けることができる。この状態では、液晶ディスプレイ１３の表示面１３ａを見て、被写体の状態を確認することができる。また、台座部２４に設けられた操作ボタン群２７が露出されるため、その操作ボタン群２７を使用してビデオカメラ１０の撮像手段を操作することができる。例えば、撮影した映像を再生するためのボタン類を配置しておくことにより、その映像内容の確認を容易に行うことができる。
【００４７】
更に、回動支持部３０の第２の回動部を中心に液晶ディスプレイ１３を前方へ略９０度回動させることにより、表示面１３ａを被写体に向けることができる。また、液晶ディスプレイ１３を後方へ略９０度回動させることにより、図３の様に表示面１３ａを撮影者に向けることができる。このような状態のビデオカメラ１０を、液晶ディスプレイ１３の表示面１３ａを撮影者の目線上に設定して支持することにより、楽な姿勢でビデオカメラ１０を支持しつつ、その表示面１３ａを目で見て被写体を確認しながら撮影することができる。
【００４８】
この場合、手に大きな力を加えることなく、比較的小さな力でビデオカメラ１０を楽に、しかも確実に支えることができる。そのため、長時間の撮影においても疲労を少なくし、表示面１３ａが安定してブレの少ない良好な撮影を行うことができる。
【００４９】
また、回動支持部３０の第２の回動部を中心に液晶ディスプレイ１３を更に後方へ略９０度回動させて表示面１３ａを下に向けた後、第１の回動部を中心に液晶ディスプレイ１３を左右方向Ｓへ略１８０度回動させ、液晶ディスプレイ１３を台座部２４に格納することにより、表示面１３ａを操作ボタン群２７の上に重ね合わせて上方へ向けることができる。この状態では、ケース本体１１の中心線上に液晶ディスプレイ１３が設置されるため、表示面１３ａを見易くすることができる。しかも、液晶ディスプレイ１３の両端がケース本体１１の側面部から側方に大きく突出することがないため、撮影時に液晶ディスプレイ１３が邪魔になることがない。
【００５０】
このような液晶ディスプレイ１３の取り付け姿勢は、ビデオカメラ１０がブレないように電子ビューファインダ２１の先端のアイカップ２２を胸に押し当ててビデオカメラ１０を固定して撮影する場合に好適である。このようなビデオカメラ１０の固定状態で撮影者が液晶ディスプレイ１３の表示面１３ａを見ると、その目が水平方向を見るときの水平目線とその目が表示面１３ａを見るときの表示面目線とのなす角度を、従来例の場合に比べて小さくすることができる。そのため、撮影者が被写体と表示面１３ａを交互に見るために頭を上下方向に振る角度を小さくすることができる。従って、首の振れを少なくして首の筋肉疲労を軽減できるとともに、録画チャンスを逃すおそれを少なくすることができる。
【００５１】
更に、液晶ディスプレイ１３の取り付け姿勢として、取手２０を手で持ってビデオカメラ１０を下げた状態で撮影する、いわゆるローアングル撮影をする場合に好適である。この状態では、取手２０を持つ手のすぐ前方に液晶ディスプレイ１３の表示面１３ａが配置されているとともに、その表示面１３ａが後方へ少々傾斜されているため、楽な姿勢において目線を表示面１３ａ上におくことができる。そのため、従来例の場合に比べて楽な姿勢で表示面１３ａを見ることができる。
【００５２】
しかも、ローアングルで撮影する場合に、液晶ディスプレイがケース本体１１の側面部から側方に大きく突出していないため、撮影者の肩の関節と手首の関節を結ぶ腕線と肩の関節から垂直に降ろした垂線とのなす角度を従来よりも小さくすることができるため、撮影者の足に当たらないようにビデオカメラ１０を足から所定距離だけ遠ざけるようにしても、そのときの手の角度を小さくすることができ、従って、手を足から遠ざける力を小さくすることができる。これにより、重さを感じ易い窮屈な姿勢を軽減させて、比較的楽にビデオカメラ１０を捧げ持つことができる。
【００５３】
更に、取手２０の把持部２０ｃにおける台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。更に、ケース本体１１及びカセット挿入口５３の開閉蓋１４の下端に配設されたズームスイッチ６９やオートロックスイッチ５９等の手動ボタン群によってマニュアル操作が出来る様に成されている。
【００５４】
上述のビデオカメラ１０の外観構造から得られる構成効果を述べたが、以下スライドスイッチを構成するズームスイッチ６９部分の詳細構造を図５乃至図８で説明する。図５及び図６は図１及び図２のＣ方向から視た要部の斜視図を示すもので、図５はスライドスイッチの摘みが中央位置に配された状態を示す斜視図、図６はスライドスイッチの組み立て状態を示す斜視図を示すものである。図５に於いて、図１乃至図４で示したケース本体１１は断面がＣ字状の合成樹脂で形成した左右のケース半体１１Ｌ，１１Ｒ（図３参照）で構成されている。ケース半体１１Ｌ，１１Ｒの突合せ面内にはアルミニューム（Ａｌ）５２Ｓ合金等で形成した基板シャーシを含む枠体７５が配設されている。この枠体７５の前端部はレンズ装置１２のレンズ鏡胴等が挿着可能に構成された半円形状の半円状部７６と成され，Ａｌ等で成型した枠体７５のボス７７ａ，７７ｂに雌ネジ７８ａ，７８ｂが形成されボス７７ｂの上側に回り止め用のピン７９が立設されている。
【００５５】
８０はケース本体１１のケース半体１１Ｒの一部を構成するレンズ装置１２の鏡胴の後段に設けられた半円状部７６と対を成す半円形状の断面Ｃ字状のスライドスイッチ半体部である。このスライドスイッチ半体部８０はチタン合金で形成され、ケース本体１１のケース半体１１Ｌに形成した切溝８１内にスライドスイッチ半体部８０のスライドスイッチ凸部８２が下方から挿入されケース半体１１Ｌを構成する。従って、スライドスイッチ半体部８０はケース本体１１と同色に塗装されている。
【００５６】
図５でスライドスイッチ凸部８２の中央に穿たれた楕円状の透孔８３内にズームスイッチ６９のスライドスイッチ摘み８４が上下方向にスライド可能に配設されている。摘み８４は図５では楕円状の透孔８３の中心のポジションに保持されているが透孔８３の一番上のポジション或は一番下の状態も存在する。本例では上、中、下の３段のポジションをスライドする場合を説明するが、これらのスライドスイッチの構成は３ポジション以上のものであってもよい。従って、本例ではスライドスイッチ半体部８０の半径が４５Ｒ程度の円周の曲率に沿ってスライドされるが、図５のＸ，Ｙ，Ｚ平面で示すＸ−Ｙ平面に投影した場合には略直線状に上下にスライドされる。
【００５７】
スライドスイッチ半体部８０とスライドクリック機構との組立状態図を図６に示し、図６の下方向から視た上記スライドスイッチ半体部とスライドクリック機構部品を展開してＸ−Ｙ平面に投影した状態の組立状態平面図を図７に示す。同様に展開した裏面のＦ方向から視たスライドスイッチ半体部８０とスライドクリック機構部品を図８（Ａ）（Ｂ）（Ｃ）（Ｄ）に平面的に示している。
【００５８】
上述の各図面を用いて、スライドスイッチ半体部８０の全体的構成を説明する。図５及び図６の外側から視たスライドスイッチ半体部８０のＦ方向矢視図の展開図である図８（Ａ）に示すＸ−Ｙ平面に投影展開した平面図の様に、スライドスイッチ半体部８０は展開状態では略矩形状と成され、この矩形状の略中央位置に凸部８５を設けた凸形状のチタン合金板を図５及び図６の様にＣ字状のスライドスイッチ半体部８０に形成する。スライドスイッチ凸部８２は上方に略矩形状に盛り上げられて中央部に楕円状の透孔８３が１体成型されている。８６はスライドスイッチ半体部８０の後部円周下部に設けられた下部取付脚、８７は同様に後部円周上部に設けられた上部取付脚で夫々枠体７５に形成したボス７７ａ，７７ｂ及びピン７９と螺合する透孔８８が穿たれている。
【００５９】
スライドスイッチ凸部８２の裏面の先端には図８（Ａ）に示す様にリブ９０が立設され、このリブ９０の両端にはピン９１ａ，９１ｂが、中央には雌ネジ９１ｄを形成したボス９１ｃが立設されている。又、楕円状の透孔８３の左右端にもピン９２ａ，９２ｂが植立されている。９３ａ，９３ｂはボス部で取付用の雌ネジが形成されている。これらピン９２ａ及び９２ｂには摘みカバー９４に形成したボス９５ａ，９５ｂに穿った透孔９６ａ，９６ｂに挿通固定される。９３はスライドスイッチ半体成型時の湯口で凹状の円口と成されている。
【００６０】
摘みカバー９４は合成樹脂で図８（Ｂ）及び図６に示す様に成型されている。即ち、Ｘ−Ｙ平面への展開状態では図８（Ｂ）の様に略矩形状の板材の略中央位置にスライドスイッチ凸部８２に形成した透孔８３の円周線と嵌合する円周溝９７が設けられ、円周溝９７内に楕円孔９８が穿たれ、取付脚９９が長辺部の１側から延設されている。この取付脚９９には透孔１００が穿たれ、スライドスイッチ凸部８２に立設したボス９３ａ，９３ｂにネジ止めされることでスライドスイッチ半体部８０と摘みカバー９４は１体化されて後述する摘みを有する曲面状のスライド部材１３０を摘みカバー９４上で滑らかにスライドさせることが出来る。
【００６１】
スライド部材１３０は図６及び図８（Ｃ）に示す様にＸ−Ｙ平面に投影展開された状態では略矩形状の合成樹脂板の本体１３０ａの略中央位置の表面側（図６参照）には摘み８４が形成され、本体１３０ａの中央位置からＴ字状に延設されたアーム１３１には、その先端部に図９で示したと同様のスライド型スイッチ１０３のレバー１１３と嵌合するレバー係合部１３２（図８参照）が形成されている。
【００６２】
又、スライド部材１３０の裏面側の本体１３０ａの略中央位置には摘み８４の底面から楕円孔１３３を貫通して、案内突出部１３４が立設されている。この案内突出部１３４は、その断面形状が前後共に略円弧状に形成されていて、後述するクリックプレート１３５に形成した波状凹部１３９に嵌り合う様に成されている。
【００６３】
上述の構成のスライド部材１３０の摘み８４は摘みカバー９４に形成した楕円溝９８を介してスライドスイッチ凹部８２に穿った透孔８３から図５に示す様に摘み８４の１部が突出して楕円形状の透孔８３内を上下に滑らかにスライドする。
【００６４】
この様な摘み８４を有するスライド部材１３０にクリック機能を持たせるためのクリックプレート１３５は合成樹脂、例えばポリプロピレン、ＡＢＳ等で図６乃至図８（Ｄ）に示すように成型する。即ち、スライド部材１３０のスライド方向に所定のクリック感を与えるために取付脚１３６を略矩形状に形成した本体１３７の長辺側の１側に延設し、本体１３７の略中央に形成した方形状の透孔１３８を橋絡する様に中央部に波状凹部１３９を有するクリック片１５０を形成する。このクリック片１５０の波状凹部１３９は合成樹脂製の本体と１体に形成され、クリックポジション位置に対応した弾性に富み、丈夫な３個の波状凹部１３９が形成されている。勿論この波状凹部１３９の数はクリックポジション数に応じて２個乃至Ｎ個に適宜変更可能である。
【００６５】
クリックプレート１３５の取付脚１３６側には両脚間に渡ってリブ１４０が形成されて案内突出部１３４を案内するレール１４１を補強している。又、このレール１４１の波状凹部１３９の真中の位置と対向する位置には小さな滑らかな円弧状の凸部１４２が形成されている。この凸部１４２はレール１４１の真中位置に限定されるものではなく、波状凹部１３９の波底部の中心位置と対向する位置に適宜配設することが出来る。更に本体１３７の取付脚１３６とは反対側の長辺に沿って３個の透孔１４３が穿たれている。
【００６６】
この透孔１４３の左右端は図８（Ａ）のスライドスイッチ凸部８２のリブ９０に立設したピン９１ａ，９１ｂに挿通され、中央の透孔１４３は中央のボス９１ｃの雌ネジ９１ｄにネジ止めされ、更に取付脚１３６に穿った透孔１４４を介してスライドスイッチ凸部８２に立設したボス９３ａ，９３ｂにネジ止めされてスライド部材１３０に裏面に立設した案内突出部１３４がレール１４１とクリック片１５０の波状凹部１３９間に図７に示す組立状態図（裏側から視た）に示す様に突出されている。この状態で摘み８４を図７でＧ−Ｇ方向へスライドさせると案内突出部１３４はスライド部材１３０と共にクリックモーションを与えられながらＧ−Ｇ方向にスライドされる。
【００６７】
図７のＡ部の拡大図を左下に示すが、案内突出部１３４がクリック片１５０の波状凹部１３９と接する面は波状凹部１３９の波形のカーブと滑らかに嵌合する円弧状と成され、その反対の面はレール１４１の中央部に形成した凸部１４２とスライド時に滑らかに点接触しながら変化する様に凸状の円弧状に形成されている。
【００６８】
上述のクリックプレート１３５の動作を以下に説明する。先ず摘み８４を楕円状の透孔８４の１番上のポジションから下方向へスライドさせると、スライド部材１３０の裏側に立設された案内突出部１３４がクリックプレートの１番上の波状凹部（図８（Ｄ）で波底部）から中心の波状凹部１３９に移動しようとし、波状凹部１３９間にある波形の凸部（図８（Ｄ）で波高部）１５１によってクリックプレート１３５の波状凹部１３９に対応する案内突出部１３４の円弧形状の中心がクリックプレート１３５の凸部１５１にさしかかるまでは案内突出部１３４に掛かる負荷（摩擦）が連続的に増加する。
【００６９】
次に案内突出部１３４の円弧状の円弧中心を越えた後は案内突出部１３４に掛かる負荷が連続的に減少することでクリック感を発生させている。
【００７０】
そして、案内突出部１３４の円弧部がクリックプレート１３５の波状凹部１３９内に入り込み保持されることにより、所定のスライドポジションが保たれ、摘み８４は楕円形状の透孔８３の中央位置に保持される。
【００７１】
従来例で説明した案内用のレール１４１が無い様なクリックプレート１３５では案内突出部１３４は負荷が増加している様な時には図７に於いて、図中矢印Ｈ方向に逃げ様とするので、そのまま摘み８４を押し下げると、クリックプレート１３５の波状凹部１３９に案内突出部１３４が入りきらずに、次のスライドポジションまで行き過ぎてしまう弊害を生じていた。
【００７２】
然るに、本発明のスライドスイッチのクリック機構によれば案内突出部１３４へ負荷が増加している時に、案内突出部１３４は図７でＨ方向に逃げ様とするが案内突出部１３４の右側に配設したレール１４１の左側面に設けた波状凹部１３９と同じ高さの凸部１４２によって１度Ｈ方向に逃げた案内突出部１３４をＨ方向と反対方向に矯正することが出来る。
【００７３】
即ち、図５の様に縦方向にスライドされていた摘み８４の軌道をクリックプレート１３５の波状凹部１３９に入り込んで行く方向に力を掛けられるので、次のスライドポジションまでに行き過ぎずに確実に次のスライドポジションで停止させることが出来る。
【００７４】
又、案内用のレール１４１に対向する案内突出部１３４の形状を略円弧状にしたことで案内突出用のレール１４１上のなだらかな凸部１４２に当る際に図７の矢印Ｈと反対方向に矯正する際の力を連続的に変化させることが出来るので不自然な引っ掛り感のないクリック機構が得られる。
【００７５】
従来のスライド型スイッチ等では所定位置でのクリック感を強調する様に成すことは広く用いられているが、本例ではスライドスイッチ凸部８２の湯口９３ｃ位置の凹部にアーム１３１のＲ状にカーブされた下面が落ち込むことで、この部分のクリック感を強調させることも出来る。
【００７６】
更に、取手２０の把持部２０ｃにおける台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。
【００７７】
以上説明したように、本発明のスライドスイッチのクリック機構は案内用のレールの凹部により案内突出部を強制的にクリックプレートの波状凹部１３９に入れ込むことが出来るので、次のスライドポジションまで行き過ぎずに確実に隣のスライドポジションで停止させることが出来てクリック感の向上及び操作の確実性が得られるスライドスイッチのクリック機構及び撮像装置用のスライドスイッチのクリック機構を提供可能となる。
【００７８】
又、案内突出部をクリックプレートの波状凹部１３９と嵌合するように略円弧状と成したので、案内用のレール１４１上のなだらかな凸部１４２に当たる際に案内突出部１３４を矯正する力を連続的に変化させることが出来て不自然な引っ掛り感がなく、クリックプレート１３５に常に負荷をかける必要が無いので、クリープによる変形の可能性を極力除去できるスライドスイッチのクリック機構及び撮像装置用のスライドスイッチのクリック機構が得られる。
【００７９】
本発明のスライドスイッチのクリック機構及び撮像装置用のスライドスイッチのクリック機構構成によれば、スライド時に次のスライドポジションまで行き過ぎずに確実に隣のスライドポジションで停止させることが出来る。又、クリック感の向上及び操作の確実性が得られるクリックプレートに常に負荷をかける必要が無いので、クリープによる変形の可能性を極力除去できる。更に、クリック感を向上させるための機構を特許文献１の様にスライド方向に延在させる必要が無い為、不必要なデッドスペースを生ぜず、内部構造物の配置及びデザイン上の自由度が高まる。更に、又、スライド摘みの位置をスライド摘み押えとの位置精度よりも外筐体との位置精度を優先して設計できる為、デザイン上自由度が高まるなどの効果を生ずる。
【００８０】
更に、撮影時には、ケース本体１１の上部に設置された取手２０の前部に液晶ディスプレイ１３を配置する構成としたため、撮影者がビデオカメラ１０を体から遠ざけることなく、しかも上に持ち上げる動作を極力避けて支持することができ、非常に持ち易くすることができた。しかも、ローアングル撮影時に取手２０を握りながら撮影する場合においても、液晶ディスプレイ１３が邪魔になることがないから、窮屈な撮影姿勢を強いられることがなく、楽な操作で撮影活動を行うことができる。
【００８１】
又、取手２０の近傍に液晶ディスプレイ１３が配置されているため、目線を大きく動かすことなく表示面１３ａを見ながら操作ボタンの操作を行うことができ、この種の撮像装置における操作性を大幅に向上させることができる。更に、取手２０に比較的大きな表示装置を配置したことにより、ケース本体１１の内部構造に余裕を生じさせることができ、機能面のアップを図ることができるとともに、デザイン面の自由度を高めることができる。
【産業上の利用可能性】
【００８２】
本発明は、前述し、図面に示した実施の形態に限定されるものではなく、その要旨を逸脱しない範囲内で種々の変形実施が可能である。上述の形態例においては、スライドスイッチのクリック機構及び撮像装置用のスライドスイッチのクリック機構をズームスイッチ６９に適用し、ＮＤ用の濃いフイルタポジション、フイルタの無いポジション、中程度の濃さのフイルタポジションの切換えについて説明したが、これらに限定されるものではなく蓋開閉ボタン１５、オートロックスイッチ５９などの通常のスライドスイッチに本発明を適用することも出来る。又、本例では曲面上に摘みをスライドさせたが平面上でスライドさせる様に構成させる様にすることも出来る。
【図面の簡単な説明】
【００８３】
【図１】本発明のスライドスイッチのクリック機構を用いた１形態例を示すカセット挿入口の開閉蓋を開いた状態を示すビデオカメラの斜視図である。
【図２】本発明のスライドスイッチのクリック機構を用いたビデオカメラのカセット挿入口の開閉蓋を閉じた状態を示す斜視図である。
【図３】図１及び図２に示すビデオカメラとは反対側から視たビデオカメラの斜視図である。
【図４】図１及び図２に示すビデオカメラの側面図である。
【図５】本発明のスライドスイッチのクリック機構の取付状態外観図である。
【図６】本発明のスライドスイッチのクリック機構の組立状態を示す要部の斜視図である。
【図７】本発明のスライドスイッチのクリック機構をＸ−Ｙ平面に展開した裏面から視た組立平面図である。
【図８】本発明のスライドスイッチのクリック機構をＸ−Ｙ平面に展開した裏面から視た各部品の平面図である。
【図９】従来のスライドスイッチのクリック機構の分解斜視図である。
【符号の説明】
【００８４】
１０…ビデオカメラ（撮像装置）、１１…ケース本体、１２…レンズ装置、１３…液晶ディスプレイ（表示装置）、１３ａ…表示面、１３ｂ…ケース部、２４…台座部、２７…操作ボタン群、３０…回動支持部、３３…回動軸、３５，３７…録画ボタン（操作ボタン）、３６，３８…ズームボタン（操作ボタン）、４１…アクセサリシュー、５０…カセットホルダ、５１…ＤＶカセット、５３…カセット挿入口、６９…ズームスイッチ、７５…枠体、８０…スライドスイッチ半体部、８４…摘み、９４…摘みカバー、１３０…スライド部材、１３５…クリックプレート
【図１】
2006073477.tif 000003
【図２】
2006073477.tif 000004
【図３】
2006073477.tif 000005
【図４】
2006073477.tif 000006
【図５】
2006073477.tif 000007
【図６】
2006073477.tif 000008
【図７】
2006073477.tif 000009
【図８】
2006073477.tif 000010
【図９】
2006073477.tif 000011